(57)【要約】【課題】低背化を図りつつ特性インピーダンスの整合性を向上させる。【解決手段】プラグコネクタ１は、同軸ケーブルの内部導体が接続される導電性の内部導体コンタクト３０と、同軸ケーブルの外部導体が接続される導電性の外部導体シェル１０と、内部導体コンタクト３０を内部に保持し、内部導体コンタクト３０と外部導体シェル１０との間を絶縁する絶縁ハウジング２０とを備える。内部導体コンタクト３０は、同軸ケーブルの内部導体を収容する収容領域を画定する枠部を含むベース３１と、収容領域内に内部導体が収容された状態で、ベース３１と共に同軸ケーブルの内部導体を挟持するように構成された挟持片３２とを有する。【選択図】図５
2017147108.tif 000002
【特許請求の範囲】
【請求項１】
基板に実装されたリセプタクルコネクタと嵌合可能に構成され、前記リセプタクルコネクタとの嵌合時に同軸ケーブルの内部導体が前記基板上に形成された導体に電気的に接続される、プラグコネクタであって、
前記同軸ケーブルの内部導体が接続される導電性の内部導体コンタクトと、
前記同軸ケーブルの外部導体が接続される導電性の外部導体シェルと、
前記内部導体コンタクトを内部に保持し、前記内部導体コンタクトと前記外部導体シェルとの間を絶縁する絶縁ハウジングとを備え、
前記内部導体コンタクトは、
前記内部導体を収容する収容領域を画定する枠部を含むベースと、
前記収容領域内に前記内部導体が収容された状態で、前記ベースと共に前記内部導体を挟持するように構成された挟持片とを有する、プラグコネクタ。
【請求項２】
前記枠部はＵ字形状を呈する、請求項１に記載のプラグコネクタ。
【請求項３】
前記挟持片と前記収容領域との対向方向において、前記収容領域と前記挟持片とは重なり合う一方、前記挟持片と前記枠部とは重なり合わない、請求項１に記載のプラグコネクタ。
【請求項４】
前記内部導体コンタクトは、前記リセプタクルコネクタの内部導体コンタクトと嵌着可能な接続片をさらに有し、
前記ベースは、前記枠部から延在し、前記接続片が設けられた延長部を更に含む、請求項１に記載のプラグコネクタ。
【請求項５】
前記接続片は、前記挟持片と前記収容領域との対向方向において前記延長部から突出しており、
前記枠部は、前記延長部に対して、前記接続片が突出する側と同じ側に屈曲されている、請求項４に記載のプラグコネクタ。
【請求項６】
前記挟持片は、片持ち状であり、前記挟持片と前記収容領域との対向方向において屈曲されている、請求項１に記載のプラグコネクタ。
【請求項７】
前記挟持片は、前記対向方向において前記収容領域とは離れる側に凸となるように屈曲されている、請求項６に記載のプラグコネクタ。
【発明の詳細な説明】
【技術分野】
【０００１】
本開示は、プラグコネクタに関する。
【背景技術】
【０００２】
一般に、携帯電話等の小型端末の内部には、回路基板間で高周波信号を伝送するために、多数の同軸ケーブルが配線されている。同軸ケーブルの先端にはプラグコネクタが設けられている。回路基板には、リセプタクルコネクタが実装されている。これらのプラグコネクタとリセプタクルコネクタとが嵌合することで、同軸ケーブルと回路基板とが電気的に接続される。
【０００３】
特許文献１は、プラグコネクタの一例を開示している。特許文献１のプラグコネクタは、同軸ケーブルの内部導体が接続される導電性の内部導体コンタクトと、同軸ケーブルの外部導体が接続される導電性の外部導体シェルと、内部導体コンタクトを内部に保持し、内部導体コンタクトと外部導体シェルとの間を絶縁する絶縁ハウジングとを備える。内部導体コンタクトは、同軸ケーブルの内部導体が載置される導体載置部と、導体載置部の先端から一体的に延びると共に導体載置部に対して起立するように導体載置部の先端において屈曲された導体挟持アームとを有する。外部導体シェルは、絶縁ハウジングを収納可能な筒状の本体部と、本体部の筒軸方向において本体部の縁から一体的に延びる蓋部とを有する。
【０００４】
特許文献１のプラグコネクタを組み立てる際は、まず、外部導体シェルの本体部内に絶縁ハウジングを収納する。次に、内部導体コンタクトの導体挟持アームと外部導体シェルの蓋部とが重なり合うように、絶縁ハウジングに内部導体コンタクトを保持させる。次に、内部導体コンタクトの導体載置部に同軸ケーブルの内部導体を載置する。次に、外部導体シェルの本体部を内部導体コンタクトの導体挟持アーム側に向けて折り曲げることにより、導体挟持アームを導体載置部に向けて押し倒し、導体載置部と導体挟持アームとで同軸ケーブルの内部導体を挟持させる。こうして、同軸ケーブルの内部導体と内部導体コンタクトとが物理的且つ電気的に接続される。
【０００５】
上記のプラグコネクタによれば、外部導体シェルの蓋部を折り曲げるだけで同軸ケーブルの内部導体と内部導体コンタクトとを接続できる。そのため、組み立て作業を簡易且つ迅速に行えるようになり、作業性が向上する。また、同軸ケーブルの内部導体と内部導体コンタクトとの電気的接続にあたりハンダ付け作業が不要となる。そのため、プラグコネクタの廃棄時に環境に負荷を与え難い。さらに、ハンダの使用量に差があると、プラグコネクタ間で特性インピーダンスにずれが生じうるが、上記のプラグコネクタではハンダを用いていないので、特性インピーダンスの整合を図りやすくなる。
【先行技術文献】
【特許文献】
【０００６】
【特許文献１】特開２０１１−０４０２６２号公報
【発明の概要】
【発明が解決しようとする課題】
【０００７】
近年、携帯電話等の小型端末の更なる小型化が進んでいる。そのため、小型端末の内部が狭隘化しており、プラグコネクタも更なる低背化が求められている。具体的には、プラグコネクタとリセプタクルコネクタとの嵌合後の高さが１ｍｍ以下のものも出現してきている。
【０００８】
ところが、プラグコネクタの低背化が進むと、外部導体シェルと内部導体コンタクトとの直線距離が近づく。ここで、当該直線距離が小さいほど、特性インピーダンスの値が小さくなる。その結果、プラグコネクタの低背化が進むと、特性インピーダンスを所望の値（例えば５０Ω）に整合し難くなる。
【０００９】
そこで、本開示は、上記のような相反する要請に応えるべく、低背化を図りつつ特性インピーダンスの整合性を向上させることが可能なプラグコネクタを説明する。
【課題を解決するための手段】
【００１０】
本開示の一つの観点に係るプラグコネクタは、基板に実装されたリセプタクルコネクタと嵌合可能に構成され、リセプタクルコネクタとの嵌合時に同軸ケーブルの内部導体が基板上に形成された導体に電気的に接続される、プラグコネクタであって、同軸ケーブルの内部導体が接続される導電性の内部導体コンタクトと、同軸ケーブルの外部導体が接続される導電性の外部導体シェルと、内部導体コンタクトを内部に保持し、内部導体コンタクトと外部導体シェルとの間を絶縁する絶縁ハウジングとを備え、内部導体コンタクトは、内部導体を収容する収容領域を画定する枠部を含むベースと、収容領域内に内部導体が収容された状態で、ベースと共に内部導体を挟持するように構成された挟持片とを有する。
【００１１】
本開示の一つの観点に係るプラグコネクタでは、同軸ケーブルの内部導体が、枠部によって画定された収容領域内に収容された状態で、内部導体コンタクトのベースと挟持片とで挟持される。そのため、収容領域が存在しない導体載置部と導体挟持アームとで内部導体が挟持される特許文献１のプラグコネクタと比較して、内部導体が収容領域内に入る分、内部導体コンタクトの高さが低くなる。従って、プラグコネクタの低背化を図ることができる。また、内部導体コンタクトの高さが低くなると、挟持片と収容領域との対向方向（内部導体コンタクトの高さ方向）における内部導体コンタクトと外部導体シェルとの間のスペースを確保しやすくなるので、当該対向方向における内部導体コンタクトと外部導体シェルとの直線距離を大きくすることができる。従って、特性インピーダンスの所望の値からのずれを抑制することができる。その結果、プラグコネクタの低背化を図りつつ特性インピーダンスの整合性を向上させることが可能となる。
【００１２】
枠部はＵ字形状を呈していてもよい。この場合、ベースと挟持片とで同軸ケーブルの内部導体が挟持されたときに、内部導体が側方に拡がるのを枠部が抑制する。そのため、内部導体コンタクトの幅を比較的小さく設定することができる。従って、幅方向における内部導体コンタクトと外部導体シェルとの間のスペースを確保しやすくなるので、幅方向における内部導体コンタクトと外部導体シェルとの直線距離を大きくすることができる。その結果、特性インピーダンスの所望の値からのずれをより抑制することができるので、特性インピーダンスの整合性をより向上させることが可能となる。
【００１３】
挟持片と収容領域との対向方向において、収容領域と挟持片とは重なり合う一方、挟持片と枠部とは重なり合わなくてもよい。この場合、Ｕ字形状の切断線に沿って板材を加工するだけで、当該切断線の外側部分で構成される枠部を含むベースと、当該切断線の内側部分で構成される挟持片と有する内部導体コンタクトを容易に得ることが可能となる。
【００１４】
内部導体コンタクトは、リセプタクルコネクタの内部導体コンタクトと嵌着可能な接続片をさらに有し、ベースは、枠部から延在し、接続片が設けられた延長部を更に含んでもよい。この場合、延長部の存在により、収容領域から接続片が離間する。そのため、ベースと挟持片とによる同軸ケーブルの内部導体の挟持は、接続片の近傍では行われない。従って、ベースと挟持片とで同軸ケーブルの内部導体を挟持する際に、挟持片と接続片との干渉を抑制することができる。また、接続片がリセプタクルコネクタの導体コンタクトと嵌合する際に、接続片は当該導体コンタクトから圧力を受けるが、接続片が延長部に設けられていることにより、枠部は当該導体コンタクトからの受圧が抑制される。よって、当該導体コンタクトからの受圧による枠部の変形を抑制することができる。
【００１５】
接続片は、挟持片と収容領域との対向方向において延長部から突出しており、枠部は、延長部に対して、接続片が突出する側と同じ側に屈曲されていてもよい。この場合、枠部が屈曲していないときと比較して、主部から見た接続片の突出量が抑えられる。そのため、プラグコネクタのいっそうの低背化を図ることができる。
【００１６】
挟持片は、片持ち状であり、挟持片と収容領域との対向方向において屈曲されていてもよい。この場合、ベースと挟持片とで同軸ケーブルの内部導体を挟持する際に、挟持片の屈曲部分が同軸ケーブルの内部導体に付勢力を付与する。そのため、挟持片が同軸ケーブルの内部導体をベースに対してしっかりと押さえつけやすくなる。従って、同軸ケーブルの内部導体と内部導体コンタクトとの間の電気的接続をより確実に行うことができる。
【００１７】
挟持片は、対向方向において収容領域とは離れる側に凸となるように屈曲されていてもよい。この場合、ベースと挟持片とで同軸ケーブルの内部導体を挟持する際に、挟持片の先端が枠部に向けて延びる。そのため、同軸ケーブルの内部導体が挟持片の先端で枠部に向けて押されるので、屈曲した挟持片と枠部とで同軸ケーブルの内部導体がしっかりと挟持される。従って、同軸ケーブルの内部導体と内部導体コンタクトとの間の電気的接続をよりいっそう確実に行うことができる。
【発明の効果】
【００１８】
本開示に係るプラグコネクタによれば、低背化を図りつつ特性インピーダンスの整合性を向上させることが可能となる。
【図面の簡単な説明】
【００１９】
【図１】図１は、プラグコネクタを示す斜視図である。
【図２】図２は、プラグコネクタを示す側面図である。
【図３】図３は、プラグコネクタを示す底面図である。
【図４】図４は、図１のＩＶ−ＩＶ線断面図である。
【図５】図５は、プラグコネクタにおける組み立て前の開放状態を示す斜視図である。
【図６】図６は、内部導体コンタクトの一例（第１の例）を上方から見た斜視図である。
【図７】図７は、内部導体コンタクトの一例（第１の例）を下方から見た斜視図である。
【図８】図８は、図６のＶＩＩＩ−ＶＩＩＩ線断面図である。
【図９】図９は、内部導体コンタクトの一例（第２の例）を上方から見た斜視図である。
【図１０】図１０（ａ）は内部導体コンタクトの一例（第３の例）を上方から見た斜視図であり、図１０（ｂ）は図１０（ａ）のＢ−Ｂ線断面図である。
【図１１】図１１（ａ）は内部導体コンタクトの一例（第４の例）を示す断面図であり、図１１（ｂ）は内部導体コンタクトの一例（第５の例）を示す断面図であり、図１１（ｃ）は内部導体コンタクトの一例（第６の例）を示す断面図である。
【図１２】図１２は、内部導体コンタクトの一例（第７の例）を上方から見た斜視図である。
【図１３】図１３は、内部導体コンタクトの一例（第８の例）を上方から見た斜視図である。
【発明を実施するための形態】
【００２０】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００２１】
［プラグコネクタ］
プラグコネクタ１は、図１〜図４に示されるように、同軸ケーブル２の先端部分に接続される電気コネクタである。プラグコネクタ１は、図１〜図５に示されるように、外部導体シェル１０と、絶縁ハウジング２０と、内部導体コンタクト３０とを備える。プラグコネクタ１は、携帯電話等の小型端末に内蔵される回路基板（図示せず）上に実装されたリセプタクルコネクタ（図示せず）と嵌合及び抜去可能に構成されている。回路基板の主面に対して略直交する方向においてプラグコネクタ１がリセプタクルコネクタに近接すると、プラグコネクタ１がリセプタクルコネクタと嵌合する。一方、回路基板の主面に対して略直交する方向においてプラグコネクタ１がリセプタクルコネクタから離間すると、プラグコネクタ１がリセプタクルコネクタから抜去される。なお、本明細書では、プラグコネクタ１をリセプタクルコネクタに嵌合する方向（差し込む方向）を「下方向」と称し、プラグコネクタ１をリセプタクルコネクタから抜去する方向を「上方向」と称する。
【００２２】
［同軸ケーブル］
同軸ケーブル２は、携帯電話等の小型端末に内蔵される各種の回路基板間で高周波信号を伝送するために、当該小型端末内において用いられる配線である。同軸ケーブル２は、図４に示されるように、内部導体２ａと、絶縁体２ｂと、外部導体２ｃと、保護被膜２ｄとを備える。
【００２３】
内部導体２ａは、線状に延びる金属線（例えば銅線）である。内部導体２ａは、１本の金属線で構成されていてもよいし、複数本の金属細線が撚られた編組線で構成されていてもよい。内部導体２ａは、高周波信号等の電気信号が流れる信号線として機能する。絶縁体２ｂは、円筒形状を呈しており、絶縁材料（例えば、ポリエチレン等）で構成されている。絶縁体２ｂの筒内には内部導体２ａが挿通されている。そのため、絶縁体２ｂは、内部導体２ａの周面を被覆している。
【００２４】
外部導体２ｃは、円筒形状を呈しており、複数本の金属細線（銅細線）が撚られた編組線で構成されていてもよいし、金属箔で構成されていてもよい。外部導体２ｃの筒内には絶縁体２ｂが挿通されている。そのため、外部導体２ｃは、絶縁体２ｂの周面を被覆しており、絶縁体２ｂによって内部導体２ａとは電気的に接続されていない。外部導体２ｃは、グランド（ＧＮＤ）として機能する。保護被膜２ｄは、円筒形状を呈しており、絶縁材料（例えば、ポリエチレン、ポリ塩化ビニル等）で構成されている。保護被膜２ｄの筒内には外部導体２ｃが挿通されている。そのため、保護被膜２ｄは、外部導体２ｃの周面を被覆しており、外部導体２ｃが他の導電体と電気的に接続されるのを保護している。
【００２５】
同軸ケーブル２がプラグコネクタ１と接続される際には、同軸ケーブル２の加工が行われる。具体的には、特に図４に示されるように、同軸ケーブル２の先端側に向かうにつれて、外部導体２ｃ、絶縁体２ｂ及び内部導体２ａがこの順に段状に露出される。
【００２６】
［外部導体シェル］
外部導体シェル１０は、プレス加工された金属薄板で構成されている。そのため、外部導体シェル１０は導電性を有する。外部導体シェル１０は、本体部１１と、蓋部１２とを有する。
【００２７】
本体部１１は、筒状体であり、本体部１１の周面には、筒軸方向に延びるスリットＳＬが形成されている（図３参照）。すなわち、本体部１１は、筒軸方向から見て円弧形状を呈する。本体部１１は、リセプタクルコネクタの外側を覆うようにリセプタクルコネクタと嵌合可能である。なお、本体部１１は、リセプタクルコネクタによって外側から覆われるようにリセプタクルコネクタと嵌合可能であってもよい。本体部１１がリセプタクルコネクタと嵌合する際には、本体部１１のうちスリットＳＬの近傍に位置する下端縁１１ａが弾性的に変形する。
【００２８】
本体部１１のうちスリットＳＬをなす各端縁にはそれぞれ、図２〜図４に示されるように、アーム部１３が一体的に設けられている。各アーム部１３は、互いに平行に延びるように、本体部１１の端縁から外側に向けて突出している。本体部１１のうち回路基板から離間する側の端縁（後述する連結部１４が位置する側の端縁）には、図５に示されるように、凹形状を呈する一対の切り欠き部１１ｂが設けられている。
【００２９】
蓋部１２は、図１〜図４に示されるように、連結部１４を介して本体部１１と連結されている。蓋部１２は、図１〜図５に示されるように、カバー部１５と、一対の固定部１６〜１８とを有する。カバー部１５は、基端部１５ａと、先端部１５ｂとを有する。基端部１５ａは、先端部１５ｂよりも幅広であり、連結部１４と先端部１５ｂとの間に位置している。基端部１５ａは、連結部１４を介して本体部１１の端縁に一体的に設けられている。そのため、蓋部１２は、連結部１４が屈曲することで、連結部１４を起点として揺動し、本体部１１に対して近接及び離間可能である。同軸ケーブル２をプラグコネクタ１に取り付ける前は、連結部１４は屈曲しておらず、図５に示されるように、蓋部１２は本体部１１に対して起立した状態（蓋部１２が本体部１１から離間した起立状態）である。一方、蓋部１２が連結部１４を介して折り曲げられると、連結部１４が屈曲して、図１〜図４に示されるように、蓋部１２が本体部１１に対して対向した状態（蓋部１２が本体部１１に近接した伏臥状態）となる。蓋部１２の伏臥状態において、図３及び図４に示されるように、カバー部１５は、本体部１１及び各アーム部１３を覆う。具体的には、蓋部１２の伏臥状態において、基端部１５ａが本体部１１を覆っており、先端部１５ｂのうち基端部１５ａ寄りの部分が各アーム部１３を覆っている。すなわち、基端部１５ａは本体部１１に対応しており、先端部１５ｂは各アーム部１３に部分的に対応している。
【００３０】
一対の固定部１６〜１８は、先端部１５ｂに一体的に設けられている。一対の固定部１６〜１８は、基端部１５ａから先端部１５ｂに向かう方向においてこの順に並んでいる。一対の固定部１６〜１８はそれぞれ、片持ち状の板部材である。図５に示されるように、プラグコネクタ１の組み立て前において、一対の固定部１６〜１８はそれぞれ、先端部１５ｂの両側縁から側方に延びつつ蓋部１２に対して起立しており、略Ｌ字形状を呈している。
【００３１】
［絶縁ハウジング］
絶縁ハウジング２０は、内部導体コンタクト３０を内部に保持すると共に外部導体シェル１０と内部導体コンタクト３０との間を絶縁するための絶縁体である。絶縁ハウジング２０は、図３〜図５に示されるように、絶縁本体部２１と、支持部２２と、押圧部２３とを有する。
【００３２】
絶縁本体部２１は、円筒形状を呈する。絶縁本体部２１の外径は、外部導体シェル１０の本体部１１の内径よりも小さく設定されている。そのため、絶縁本体部２１は本体部１１内に挿通可能に構成されており、絶縁本体部２１の外周面は本体部１１によって覆われている。
【００３３】
絶縁本体部２１の外周面には、一対の係合片２４が一体的に設けられている。一対の係合片２４は、筒軸方向における絶縁本体部２１の一端側に位置している。一対の係合片２４は、絶縁本体部２１の外周面から外側に向けて突出している。一対の係合片２４が本体部１１の切り欠き部１１ｂと係合することで、絶縁本体部２１が本体部１１に対して引っ掛けられる。
【００３４】
支持部２２は、本体部１１の外周面から外側に向けて突出するように、本体部１１に一体的に設けられている。支持部２２には、図５に示されるように、絶縁本体部２１の内部と連通する凹溝２２ａが形成されている。支持部２２は、凹溝２２ａ内に内部導体コンタクト３０を支持可能に構成されている。支持部２２は、一対のアーム部１３の間に配置されている。そのため、支持部２２の一対の側面は、一対のアーム部１３とそれぞれ当接している。
【００３５】
押圧部２３は、絶縁本体部２１に一体的に設けられている。押圧部２３の基端部は、図４に示されるように、連結部２５を介して絶縁本体部２１に一体的に設けられている。そのため、押圧部２３は、連結部２５が屈曲することで、連結部２５を起点として揺動し、絶縁本体部２１に対して近接及び離間可能である。同軸ケーブル２をプラグコネクタ１に取り付ける前は、図５に示されるように、押圧部２３は絶縁本体部２１及び支持部２２に対して起立した状態（押圧部２３が絶縁本体部２１及び支持部２２から離間した起立状態）である。一方、押圧部２３が連結部２５を介して折り曲げられると、連結部２５が屈曲して、図４に示されるように、押圧部２３が絶縁本体部２１及び支持部２２に対して対向した状態（押圧部２３が絶縁本体部２１及び支持部２２に近接した伏臥状態）となる。押圧部２３の伏臥状態において、押圧部２３は、蓋部１２によって覆われ、絶縁本体部２１及び支持部２２と対向する。
【００３６】
［内部導体コンタクト］
内部導体コンタクト３０は、プレス加工された金属薄板で構成されている。そのため、内部導体コンタクト３０は導電性を有する。内部導体コンタクト３０は、図６〜図８に示されるように、ベース３１と、挟持片３２と、一対の接続片３３とを有する。
【００３７】
ベース３１は、矩形状を呈する板状体である。ベース３１は、枠部３１ａと、延長部３１ｂとを有する。枠部３１ａは、３つの枠材Ｆ１〜Ｆ３によって構成されている。具体的には、枠材Ｆ１，Ｆ２は、互いに平行に延びている。枠材Ｆ３は、枠材Ｆ１，Ｆ２の先端同士を接続している。そのため、枠部３１ａは、枠材Ｆ１〜Ｆ３で構成されたＵ字形状を呈する。枠材Ｆ１〜Ｆ３によって囲まれる空間は、同軸ケーブル２の内部導体２ａが収容される収容領域Ｒとして機能する。すなわち、収容領域Ｒは、枠部３１ａに位置している。延長部３１ｂは、枠部３１ａから延びるように枠部３１ａに一体的に設けられている。延長部３１ｂは、枠部３１ａに対してクランク状に屈曲されている。すなわち、枠部３１ａと延長部３１ｂとは、クランク状の屈曲部３１ｃによって接続されている。
【００３８】
挟持片３２は、片持ち状の板部材である。挟持片３２は、延長部３１ｂのうち枠部３１ａ側の先端に一体的に設けられている。プラグコネクタ１の組み立て前において、挟持片３２は、枠材Ｆ１と枠材Ｆ２との間で且つ収容領域Ｒの上方に位置している。プラグコネクタ１の組み立て前において、挟持片３２は、収容領域Ｒとの対向方向Ａにおいて、収容領域Ｒとは離れる側に凸となるように屈曲されている。本実施形態では、挟持片３２の屈曲部３２ａは、サーカムフレックス（circumflex）記号「＾」に類する形状を呈している。図４及び図８に示されるように、対向方向Ａにおいて、挟持片３２と収容領域Ｒとは重なり合っているが、挟持片３２と枠材Ｆ１〜Ｆ３とは重なり合っていない。
【００３９】
一対の接続片３３は、略Ｌ字形状を呈する片持ち状の板部材である。すなわち、一対の接続片３３はそれぞれ、延長部３１ｂの両側縁から側方に延びつつ対向方向Ａにおいて延長部３１ｂから突出している。一対の接続片３３が突出する方向は、枠部３１ａが延長部３１ｂに対して屈曲している側と同じ側である。換言すれば、枠部３１ａは、接続片３３が突出する側と同じ側に位置するように、枠部３１ａと延長部３１ｂとの間の屈曲部３１ｃを介して延長部３１ｂに対して屈曲されている。一対の接続片３３は、リセプタクルコネクタの導体コンタクトと嵌着可能に構成されている。一対の接続片３３がリセプタクルコネクタの導体コンタクトと嵌着する際には、一対の接続片３３が当該導体コンタクトによって押し広げられ、当該導体コンタクトと弾性的に嵌着する。
【００４０】
［組み立て方法］
続いて、外部導体シェル１０、絶縁ハウジング２０及び内部導体コンタクト３０を組み立てて、同軸ケーブル２の先端部にプラグコネクタ１を取り付ける方法について説明する。
【００４１】
まず、同軸ケーブル２を加工する。具体的には、同軸ケーブル２の先端側に向かうにつれて、外部導体２ｃ、絶縁体２ｂ及び内部導体２ａがこの順に段状に露出するように、絶縁体２ｂ、外部導体２ｃ及び保護被膜２ｄを除去する。
【００４２】
次に、図５に示されるように、蓋部１２が起立状態にある外部導体シェル１０の本体部１１内に、押圧部２３が起立状態にある絶縁ハウジング２０を配置する。このとき、絶縁ハウジング２０の支持部２２が一対のアーム部１３間に位置し、絶縁ハウジング２０の係合片２４が本体部１１の切り欠き部１１ｂと係合するように、絶縁ハウジング２０が外部導体シェル１０に対して組み立てられる。
【００４３】
次に、同図に示されるように、内部導体コンタクト３０を絶縁ハウジング２０の絶縁本体部２１及び支持部２２に載置する。このとき、内部導体コンタクト３０の接続片３３が絶縁本体部２１内に挿通され、内部導体コンタクト３０のベース３１が支持部２２上に支持される。
【００４４】
次に、内部導体２ａの一部が枠材Ｆ３上に重なるように、加工後の同軸ケーブル２の内部導体２ａを収容領域Ｒ内に配置する（図４参照）。この状態で、蓋部１２を伏臥状態まで本体部１１に向けて押し倒す。このとき、絶縁ハウジング２０の押圧部２３も蓋部１２によって押され、押圧部２３が伏臥状態となるまで絶縁本体部２１及び支持部２２に向けて押される。これにより、内部導体コンタクト３０の挟持片３２が押圧部２３によって押され、挟持片３２が収容領域Ｒ及び枠部３１ａに近接する。このとき、挟持片３２の屈曲部３２ａは、押圧部２３と同軸ケーブル２の内部導体２ａとによって挟圧されるので、挟持片３２が全体として平坦状に変形する。従って、図４に示されるように、同軸ケーブル２の内部導体２ａが、挟持片３２とベース３１（枠材Ｆ３）とで挟持される。その結果、内部導体コンタクト３０と同軸ケーブル２の内部導体２ａとが電気的且つ物理的に接続され、信号回路が構成される。
【００４５】
次に、一対の固定部１６が一対のアーム部１３を外側から覆うように、一対の固定部１６を一対のアーム部１３に対して折り曲げる。これにより、一対の固定部１６が一対のアーム部１３に固定される。
【００４６】
次に、一対の固定部１７が同軸ケーブル２の外部導体２ｃを覆うように、一対の固定部１７を外部導体２ｃに対して折り曲げる。これにより、一対の固定部１７が外部導体２ｃに固定される。すなわち、外部導体シェル１０と同軸ケーブル２の外部導体２ｃとが電気的且つ物理的に接続され、グランド回路が構成される。
【００４７】
次に、一対の固定部１８が同軸ケーブル２の保護被膜２ｄを覆うように、一対の固定部１８を保護被膜２ｄに対して折り曲げる。これにより、一対の固定部１８が保護被膜２ｄに固定される。
【００４８】
以上により、同軸ケーブル２が蓋部１２によって保持され、同軸ケーブル２にプラグコネクタ１が取り付けられる。このとき、カバー部１５は、同軸ケーブル２のうち内部導体２ａから保護被膜２ｄの先端部分に至るまでを覆う。その後、同軸ケーブル２が取り付けられたプラグコネクタ１をリセプタクルコネクタに嵌合することで、同軸ケーブル２の内部導体２ａが回路基板の電気回路に電気的に接続される。
【００４９】
［作用］
以上のような本実施形態では、同軸ケーブル２の内部導体２ａが、枠材Ｆ１〜Ｆ３によって画定された収容領域Ｒ内に収容された状態で、内部導体コンタクト３０のベース３１と挟持片３２とで挟持される。そのため、収容領域Ｒが存在しない導体載置部と導体挟持アームとで内部導体２ａが挟持される特許文献１のプラグコネクタと比較して、内部導体２ａが収容領域Ｒ内に入る分、内部導体コンタクト３０の高さが低くなるので、プラグコネクタ１の低背化を図ることができる。また、内部導体コンタクト３０の高さが低くなると、対向方向Ａにおける内部導体コンタクト３０と外部導体シェル１０との間のスペースを確保しやすくなるので、対向方向Ａにおける内部導体コンタクト３０と外部導体シェル１０との直線距離を大きくすることができる。従って、特性インピーダンスの所望の値からのずれを抑制することができる。その結果、プラグコネクタ１の低背化を図りつつ特性インピーダンスの整合性を向上させることが可能となる。
【００５０】
本実施形態では、枠部３１ａ（枠材Ｆ１〜Ｆ３）がＵ字形状を呈している。そのため、ベース３１と挟持片３２とで同軸ケーブル２の内部導体２ａが挟持されたときに、内部導体２ａが側方に拡がるのを枠材Ｆ１，Ｆ２が抑制する。従って、内部導体コンタクト３０の幅を比較的小さく設定することができる。これにより、幅方向における内部導体コンタクト３０と外部導体シェル１０との間のスペースを確保しやすくなるので、幅方向における内部導体コンタクト３０と外部導体シェル１０との直線距離を大きくすることができる。その結果、特性インピーダンスの所望の値からのずれをより抑制することができるので、特性インピーダンスの整合性をより向上させることが可能となる。
【００５１】
本実施形態では、対向方向Ａにおいて、収容領域Ｒと挟持片３２とは重なり合う一方、挟持片３２と枠材Ｆ１〜Ｆ３とは重なり合わない。そのため、Ｕ字形状の切断線に沿って板材を加工するだけで、当該切断線の外側部分で構成される枠材Ｆ１〜Ｆ３を含むベース３１と、当該切断線の内側部分で構成される挟持片３２と有する内部導体コンタクト３０を容易に得ることが可能となる。
【００５２】
本実施形態では、ベース３１が、枠部３１ａから延在し、接続片３３が設けられた延長部３１ｂを含んでいる。そのため、延長部３１ｂの存在により、収容領域Ｒが位置する枠部３１ａから接続片３３が離間する。従って、ベース３１と挟持片３２とによる同軸ケーブル２の内部導体２ａの挟持が、接続片３３の近傍では行われない。その結果、ベース３１と挟持片３２とで同軸ケーブル２の内部導体２ａを挟持する際に、挟持片３２と接続片３３との干渉を抑制することができる。また、接続片３３がリセプタクルコネクタの導体コンタクトと嵌合する際に、接続片３３は当該導体コンタクトから圧力を受けるが、接続片３３が延長部３１ｂに設けられていることにより、枠部３１ａは当該導体コンタクトからの受圧が抑制される。よって、当該導体コンタクトからの受圧による枠部３１ａの変形を抑制することができる。
【００５３】
本実施形態では、枠部３１ａが、延長部３１ｂに対して、接続片３３が突出する側と同じ側に屈曲されていている。そのため、枠部３１ａが屈曲していないときと比較して、枠部３１ａから見た接続片３３の突出量が抑えられる。従って、プラグコネクタ１のいっそうの低背化を図ることができる。
【００５４】
本実施形態では、片持ち状の挟持片３２が、対向方向Ａにおいて収容領域Ｒとは離れる側に凸となるように屈曲されている。そのため、ベース３１と挟持片３２とで同軸ケーブル２の内部導体２ａを挟持する際に、挟持片３２の先端が枠材Ｆ３に向けて延びる。従って、同軸ケーブル２の内部導体２ａが挟持片３２の先端で枠材Ｆ３に向けて押されるので、屈曲した挟持片３２と枠材Ｆ３とで同軸ケーブル２の内部導体２ａがしっかりと挟持される。その結果、同軸ケーブル２の内部導体２ａと内部導体コンタクト３０との間の電気的接続をよりいっそう確実に行うことができる。
【００５５】
［他の実施形態］
以上、本開示に係る実施形態について詳細に説明したが、本発明の要旨の範囲内で種々の変形を上記の実施形態に加えてもよい。例えば、図９に示されるように、枠材Ｆ１及び枠材Ｆ２の一方が存在していなくてもよい。すなわち、枠部３１ａは、枠材Ｆ１，Ｆ３で構成されたＬ字形状を呈していてもよいし、枠材Ｆ２，Ｆ３で構成されたＬ字形状を呈していてもよい。この場合も、枠材Ｆ１，Ｆ３で囲まれた空間又は枠材Ｆ２，Ｆ３で囲まれた空間が、同軸ケーブル２の内部導体２ａを収容する収容領域Ｒとして機能する。
【００５６】
図１０に示されるように、枠部３１ａは、板状を呈する底壁部Ｂと、底壁部Ｂ上に設けられた枠材Ｆ１〜Ｆ３とで構成されていてもよい。この場合、底壁部Ｂ及び枠材Ｆ１〜Ｆ３で囲まれた空間が、同軸ケーブル２の内部導体２ａを収容する収容領域Ｒとして機能する。
【００５７】
挟持片３２は、収容領域Ｒとの対向方向Ａにおいて屈曲されていてもよい。すなわち、図１１（ａ）に示されるように、挟持片３２は、対向方向Ａにおいて、収容領域Ｒに近づく側に凸となるように屈曲されていてもよい。
【００５８】
挟持片３２の屈曲部３２ａが収容領域Ｒとは離れる側に凸である場合でも、収容領域Ｒに近づく側に凸である場合でも、屈曲部３２ａの形状は特に限定されない。例えば、図１１（ｂ）に示されるように、屈曲部３２ａが円弧状を呈していてもよい。
【００５９】
図１１（ｃ）に示されるように、挟持片３２は、屈曲されておらず、まっすぐに延びていてもよい。
【００６０】
図１２に示されるように、延長部３１ｂが枠部３１ａに対して屈曲されておらず、枠部３１ａ及び延長部３１ｂが連続してまっすぐに延びていてもよい。すなわち、ベース３１が屈曲部３１ｃを有していなくてもよい。
【００６１】
図１３に示されるように、ベース３１が延長部３１ｂを有していなくてもよい。この場合、一対の接続片３３は、枠部３１ａの両側縁（図１３では枠材Ｆ１，Ｆ３）に設けられていてもよい。
【符号の説明】
【００６２】
１…プラグコネクタ、２…同軸ケーブル、２ａ…内部導体、２ｃ…外部導体、１０…外部導体シェル、２０…絶縁ハウジング、３０…内部導体コンタクト、３１…ベース、３１ａ…枠部、３１ｂ…延長部、３２…挟持片、３２ａ…屈曲部、３３…接続片、Ａ…挟持片３２と収容領域Ｒとの対向方向、Ｂ…底壁部、Ｆ１〜Ｆ３…枠材、Ｒ…収容領域。
【図１】
2017147108.tif 000003
【図２】
2017147108.tif 000004
【図３】
2017147108.tif 000005
【図４】
2017147108.tif 000006
【図５】
2017147108.tif 000007
【図６】
2017147108.tif 000008
【図７】
2017147108.tif 000009
【図８】
2017147108.tif 000010
【図９】
2017147108.tif 000011
【図１０】
2017147108.tif 000012
【図１１】
2017147108.tif 000013
【図１２】
2017147108.tif 000014
【図１３】
2017147108.tif 000015